(57)【要約】【課題】  ハンドスプレーガンは、操作上軽量化が要求され、かつ握った時の重心やバランスに安定性が求められている。実用上の効果が得られるよう改善する。【解決手段】手持ち式でスプレーガンの側方に塗料容器を接続して使用する重力式スプレーガンにおいて、塗料通路と連通し、ガン本体の横方向に接続する塗料容器の取り付け部（塗料ニップル）をスプレーガンの後方にわずかに傾斜させて横カップの取り付け位置が後方にくるようにした。【選択図】  図1
0003112019.tif 000002
【実用新案登録請求の範囲】
【請求項１】
手持式スプレーガンの側方に設けた塗料供給口に重力式の塗料容器を接続する横カップ式スプレーガンにおいて、スプレーガンの噴霧口と連通する塗料通路に連通し、ガン本体の横方向に設けた塗料容器の接続継手の中心軸を、スプレーガンの後方にわずかに傾斜させて設けたことを特徴とするスプレーガン。
【考案の詳細な説明】
【技術分野】
【０００１】
本考案は、被塗物に吹付塗装を行う手持ち式スプレーガンで、先端部の側方に塗料容器を接続して使用する重力式スプレーガンにおいて、操作性に及ぼす塗料質量の影響を軽くする技術に関する。
【背景技術】
【０００２】
塗料を霧化し、吹付塗装を行うエアスプレーガンは、用途によって幾つかの方式がある。一般的に区分される構造上の違いは、作業者が手に持って操作する手持式スプレーガンと塗装ロボットや自動塗装機に搭載されて作動が機械的に制御される自動スプレーガンとに分けられる。さらにスプレーガンに塗料を供給する方式から吸上式と重力式と呼ばれスプレーガンの働きによって塗料が導入され噴霧されるものと、塗料ポンプ等の供給装置で送り込まれた塗料を噴霧する圧送式とに分類されている。
【０００３】
手持式のスプレーガンは作業者が直接手に持って操作することから操作のし易い構造、形状はもちろん、共通して軽量であることが要求される。最近の状況では材料や構造の改善が進められて、通常３５０ｇから４５０ｇ程度になってきているが、更に軽量化への要求は強く、数グラムの軽量化であっても長時間の繰り返し作業が与える作業者への負担を軽減できるとして、その改善が進められている。
【０００４】
また前記手持式スプレーガンの場合、吸上式と重力式があり、吸上式はスプレーガン頭部の下方に塗料容器が接続され下方の塗料を吸上げて噴霧する構造であり、重力式は塗料容器がスプレーガン頭部の上部に位置するように接続され、噴霧口より上方にある塗料が重力によって落とし込まれる構造となっている。更にこの重力式の場合、塗料容器の接続位置から横カップ式とセンターカップ式と区別される構造上の違いが存在する。
【０００５】
センターカップ式はスプレーガンの真上に塗料容器が付き、スプレーガンを持ったときの安定性が良いため比較的大きい容器に対応できる長所があるが、噴霧の先端部分、塗装位置が見にくいといった問題がある。
【０００６】
これに対し横カップ式はスプレーガンの横に向けた継手に塗料容器を接続し、容器の中心が手に持ったスプレーガンの横方向にずれた位置に固定されるもので、噴霧先の見易さや、スプレーガンの噴霧軸に対して容器の取り付け角度を変更できることにより上下方向に向けての噴霧が可能である等の利点がある。
【０００７】
しかし前記操作性からは、塗料容器が手に持った位置より外側に外れたところに重心がくるため手首にモーメントがかかり、作業者にかかる負担の影響は大きくなる。特に容器中の塗料が多くある場合は負担も多く、可能な範囲で軽減することが望まれている。これらは容器の重心位置をスプレーガンの握り、すなわちより手に近くすることで改善されるが、容器の大きさ、スプレーガンの構造上の大きさから範囲が限定されている。
【考案の開示】
【考案が解決しようとする課題】
【０００８】
前記したようにわずかな質量の軽減や重心位置の手元への近接は、長期的に見た場合作業者への負担を軽減する大きな課題となっており、限られた範囲で改善することが必要とされている。基本構成を替えることなく操作性向上につながる改善を行い、作業者の負担を軽減し、生産性を高める。
【課題を解決するための手段】
【０００９】
手持式スプレーガンの側方に塗料容器を接続する横カップ式スプレーガンにおいて、スプレーガンの噴霧口とつながる塗料通路と連通し、ガン本体の横方向に設けた塗料容器の接続継手を、スプレーガンの後方にわずかに傾斜させ設けたものである。
【考案の効果】
【００１０】
スプレーガンの塗料容器取付けの継手を後方に向けてわずかに傾斜をつけて設けたことにより、塗料容器の重心は直角方向に設けるよりも後部に移動する。作業時において塗料容器に塗料を入れた場合、その重心位置が握り部分より横にあるために大きく影響し、スプレーガンの操作において不安定となる要素になり、スプレーガンを把持した手首に対してモーメントが懸かり、スプレーガンの質量以上に軽減の効果が生まれる。上記のように後部に重心が移動したことにより手首側に近づき、容器の片寄った重心によって受ける持ち手の負担は軽減され、作業性の向上につながる。
【考案を実施するための最良の形態】
【００１１】
図1は重力式スプレーガンの横に設けた塗料容器の接続継手の取付け状態と、塗料容器取り付け位置の関係を示している。スプレーガン１は先端に噴霧用空気キャップ４を備え、その後部に塗料容器２の取付け用接続継手３が噴霧軸とは直角の横方向に接続されている。
【００１２】
この接続継手３は、図示されていないがスプレーガン内部の塗料通路と接続されており、使用するにあたって塗料容器２が接続され、その塗料容器２に入れた塗料が重力によって前記塗料通路内に供給され噴霧される構造となっている。これらの構造についてはすでに多くの技術資料で明らかであり、詳細に付いては省略する。
【００１３】
塗料容器２は上部が開口し下部に前記スプレーガンの接続継手３と接続されて連通する供給口が形成されている。供給口はスプレーガン１より横に水平に向けて取り付けられた接続継手３と接続するため、下部が横に直角方向に曲げられている。
【００１４】
本考案の接続継手３は、更に図1に実線で示すように取付け軸方向を後方にわずかに傾斜させて設けている。図の例では2.5°の角度だけ傾斜させているが。５°位の範囲までが適当である。あまり少ない場合は効果が期待できず、大きすぎると塗料容器を接続継手の軸に沿って回転させたときに塗料容器がスプレーガンに接触して使用上の問題を引き起こすことになり、容器の大きさとの関係で前記角度は選択されることになる。
【００１５】
この種の塗料容器は１５０ｍｌから４００ｍｌ程度が一般的で、図1の容器は比較的大きい例を示している。従来がそうであったように接続継手の方向は加工の面からも直角としており、２点鎖線で示される位置に塗料容器が取り付けられていたが、本考案では後部即ち手で持った場合の握りに、より近づけることができる。傾斜による後方への重心移動は図に示すとおりであるが、塗料を入れて手にもった感覚と操作した時の使いやすさは大きく異なり、スムーズな操作により安定した塗装作業を継続することができる。
【図面の簡単な説明】
【００１６】
【図１】本考案横カップ式スプレーガンを上方から見た平面図である。
【図２】本考案のスプレーガンに横カップを取り付けた状態図である。
【符号の説明】
【００１７】
１    スプレーガン
２    塗料容器
３    接続継手
４    空気キャップ
５    握り
【図１】
0003112019.tif 000003
【図２】
0003112019.tif 000004